(57)【要約】【課題】少ない操作部材で記録及びプリント指示が可能な撮影装置を提供する。【解決手段】撮影モードの下、レリーズスイッチ３６を押すと、撮影が実行され、プレビュー画像が液晶モニタ３４に表示される。撮影者は、メモリカード４６への記録を希望する場合はレリーズスイッチ３６を「２度押し」し、記録をキャンセルする場合は、レリーズスイッチ３６を「１度押し」する。これにより、少ない操作部材で簡単に撮影画像の記録、キャンセルを選択的に行なうことができる。【選択図】    図３
2005033454.tif 000002
【特許請求の範囲】
【請求項１】
被写体像を撮像して画像信号を生成する撮像手段と、
互いに異なる第１の操作と第２の操作が可能な操作手段と、
前記操作手段の第１の操作と第２の操作を検出する検出手段と、
前記検出手段で前記操作手段の第１の操作が検出されると、前記撮像手段から画像信号を取り込み、記憶する記憶手段と、
前記記憶手段に記憶された画像信号に所定の表示用処理を施してモニタにプレビュー画像を表示するとともに、該プレビュー画像の表示中に前記検出手段で前記操作手段の第１の操作又は第２の操作が検出されると、前記プレビュー画像の表示を停止するプレビュー画像表示手段と、
前記プレビュー画像の表示中に前記検出手段で前記操作手段の第２の操作が検出されると、前記記憶手段に記憶された画像信号に所定の記録用処理を施し、画像データとして記録メディアに記録する画像データ記録手段と、
を備えたことを特徴とする撮影装置。
【請求項２】
被写体像を撮像して画像信号を生成する撮像手段と、
互いに異なる第１の操作と第２の操作が可能な操作手段と、
前記操作手段の第１の操作と第２の操作を検出する検出手段と、
前記検出手段で前記操作手段の第１の操作が検出されると、前記撮像手段から画像信号を取り込み、記憶する記憶手段と、
前記記憶手段に記憶された画像信号に所定の表示用処理を施してモニタにプレビュー画像を表示するとともに、該プレビュー画像の表示中に前記検出手段で前記操作手段の第１の操作又は第２の操作が検出されると、前記プレビュー画像の表示を停止するプレビュー画像表示手段と、
前記プレビュー画像の表示中に前記検出手段で前記操作手段の第１の操作が検出されると、前記記憶手段に記憶された画像信号に所定の記録用処理を施し、画像データとして記録メディアに記録する画像データ記録手段と、
を備えたことを特徴とする撮影装置。
【請求項３】
記録メディアに記録された画像データをモニタに再生表示可能な撮影装置において、
互いに異なる第１の操作と第２の操作が可能な操作手段と、
前記操作手段の第１の操作と第２の操作を検出する検出手段と、
前記検出手段で前記操作手段の第１の操作が検出されるごとに、前記記録メディアから画像データを１コマずつ順に読み出し、所定の表示用処理を施して前記モニタに順次切り替えながら表示する記録画像表示手段と、
前記検出手段で前記操作手段の第２の操作が検出されると、前記モニタに表示されている画像の画像データに対してプリント指示の情報を記録するプリント情報記録手段と、
を備えたことを特徴とする撮影装置。
【請求項４】
被写体像を撮像して画像信号を生成する撮像手段と、
互いに異なる第１の操作と第２の操作が可能なレリーズ操作手段と、
前記操作手段の第１の操作と第２の操作を検出するレリーズ検出手段と、
前記レリーズ検出手段で前記レリーズ操作手段の第１の操作が検出されると、前記撮像手段から画像信号を取り込み、記憶する記憶手段と、
前記記憶手段に記憶された画像信号に所定の表示用処理を施してモニタにプレビュー画像を表示するとともに、該プレビュー画像の表示中に前記レリーズ検出手段で前記レリーズ操作手段の第１の操作又は第２の操作が検出されると、前記プレビュー画像の表示を停止するプレビュー画像表示手段と、
前記プレビュー画像の表示中に前記レリーズ検出手段で前記レリーズ操作手段の第２の操作が検出されると、前記記憶手段に記憶された画像信号に所定の記録用処理を施し、画像データとして前記記録メディアに記録する画像データ記録手段と、
を備えたことを特徴とする請求項３に記載の撮影装置。
【請求項５】
被写体像を撮像して画像信号を生成する撮像手段と、
互いに異なる第１の操作と第２の操作が可能なレリーズ操作手段と、
前記操作手段の第１の操作と第２の操作を検出するレリーズ検出手段と、
前記レリーズ検出手段で前記レリーズ操作手段の第１の操作が検出されると、前記撮像手段から画像信号を取り込み、記憶する記憶手段と、
前記記憶手段に記憶された画像信号に所定の表示用処理を施してモニタにプレビュー画像を表示するとともに、該プレビュー画像の表示中に前記レリーズ検出手段で前記レリーズ操作手段の第１の操作又は第２の操作が検出されると、前記プレビュー画像の表示を停止するプレビュー画像表示手段と、
前記プレビュー画像の表示中に前記レリーズ検出手段で前記レリーズ操作手段の第１の操作が検出されると、前記記憶手段に記憶された画像信号に所定の記録用処理を施し、画像データとして前記記録メディアに記録する画像データ記録手段と、
を備えたことを特徴とする請求項３に記載の撮影装置。
【請求項６】
前記操作手段が、前記レリーズ操作手段を兼ねていることを特徴とする請求項４又は５に記載の撮影装置。
【請求項７】
前記プレビュー画像を表示するまでの間、前記撮像手段から画像信号を連続的に取り込み、所定の表示用処理を施して前記モニタにスルー画像を表示するとともに、前記プレビュー画像の表示停止後、前記撮像手段から画像信号を連続的に取り込み、所定の表示用処理を施して前記モニタにスルー画像を表示するスルー画像表示手段を備えたことを特徴とする請求項１、２、４、５又は６に記載の撮影装置。
【請求項８】
前記操作手段又は前記レリーズ操作手段は、押しボタンであって、前記第１の操作が、前記押しボタンの１度押しであるとともに、前記第２の操作が、前記押しボタンの２度押しであることを特徴とする請求項１、２、３、４、５、６又は７に記載の撮影装置。
【発明の詳細な説明】
【０００１】
【発明の属する技術分野】
本発明は撮影装置に係り、特にデジタルカメラやカメラ付き携帯電話のように装置本体にモニタを備え、撮影した画像の再生が可能な撮影装置に関する。
【０００２】
【従来の技術】
一般にデジタルカメラのカメラボディには、モニタが備えられている。このモニタは、撮影された画像を再生するために利用されるほか、撮影中、ＣＣＤから出力される画像をリアルタイムに表示することにより、いわゆる電子ビューファインダとしても利用される。
【０００３】
また、このモニタを利用して、撮影後、撮影画像を一定時間表示することにより、撮影画像の確認ができるようにしたデジタルカメラも多数存在する。
【０００４】
たとえば、特許文献１には、レリーズボタンを押して撮影を行なった後、継続してレリーズボタンを押していると、そのレリーズボタンが押されている間中、撮影画像をモニタに表示するデジタルカメラが提案されている。
【０００５】
また、特許文献２には、撮影が行なわれると、撮影画像がモニタに表示され、レリーズボタンが半押しされると、そのモニタの画像がスルー画像に切り替えられるデジタルカメラが提案されている。
【０００６】
【特許文献１】
特開２００１−４５３４３号公報
【０００７】
【特許文献２】
特開平１０−１９１１１９号公報
【０００８】
【発明が解決しようとする課題】
しかしながら、特許文献１及び２のデジタルカメラは、撮影画像の表示をコントロールできるだけであり、撮影画像を観て気に入らない場合は、別途メニュー等から消去機能を呼び出して消去しなければならず、操作が面倒であった。
【０００９】
一方、撮影後、撮影画像をモニタに表示し、カメラボディに備えられた実行ボタンが押されると、撮影画像を記録メディアに記録し、キャンセルボタンが押されると、撮影画像を消去するデジタルカメラも存在するが、カメラボディに実行ボタン及びキャンセルボタンを備えなければならず、部品点数が増加するという欠点がある。
【００１０】
本発明は、このような事情に鑑みてなされたもので、少ない操作部材で記録及びプリント指示が可能な撮影装置を提供することを目的とする。
【００１１】
【課題を解決するための手段】
請求項１に係る発明は、前記目的を達成するために、被写体像を撮像して画像信号を生成する撮像手段と、互いに異なる第１の操作と第２の操作が可能な操作手段と、前記操作手段の第１の操作と第２の操作を検出する検出手段と、前記検出手段で前記操作手段の第１の操作が検出されると、前記撮像手段から画像信号を取り込み、記憶する記憶手段と、前記記憶手段に記憶された画像信号に所定の表示用処理を施してモニタにプレビュー画像を表示するとともに、該プレビュー画像の表示中に前記検出手段で前記操作手段の第１の操作又は第２の操作が検出されると、前記プレビュー画像の表示を停止するプレビュー画像表示手段と、前記プレビュー画像の表示中に前記検出手段で前記操作手段の第２の操作が検出されると、前記記憶手段に記憶された画像信号に所定の記録用処理を施し、画像データとして記録メディアに記録する画像データ記録手段と、を備えたことを特徴とする撮影装置を提供する。
【００１２】
本発明によれば、操作手段で第１の操作を行なうと、撮像手段から画像信号が取り込まれ、記憶手段に記憶されるとともに、プレビュー画像としてモニタに表示される。このプレビュー画像の表示中に操作手段で第２の操作が行なわれると、記憶手段に記憶された画像信号が画像データとして記録メディアに記録され、モニタ上のプレビュー画像が消される。一方、プレビュー画像の表示中に操作手段で第１の操作が行なわれると、記録メディアへの記録はキャンセルされ、モニタ上のプレビュー画像が消される。このように、本発明によれば、１つの操作手段で撮影画像の記録又はキャンセルの指示を行うことができる。
【００１３】
また、請求項２に係る発明は、前記目的を達成するために、被写体像を撮像して画像信号を生成する撮像手段と、互いに異なる第１の操作と第２の操作が可能な操作手段と、前記操作手段の第１の操作と第２の操作を検出する検出手段と、前記検出手段で前記操作手段の第１の操作が検出されると、前記撮像手段から画像信号を取り込み、記憶する記憶手段と、前記記憶手段に記憶された画像信号に所定の表示用処理を施してモニタにプレビュー画像を表示するとともに、該プレビュー画像の表示中に前記検出手段で前記操作手段の第１の操作又は第２の操作が検出されると、前記プレビュー画像の表示を停止するプレビュー画像表示手段と、前記プレビュー画像の表示中に前記検出手段で前記操作手段の第１の操作が検出されると、前記記憶手段に記憶された画像信号に所定の記録用処理を施し、画像データとして記録メディアに記録する画像データ記録手段と、を備えたことを特徴とする撮影装置を提供する。
【００１４】
本発明によれば、操作手段で第１の操作を行なうと、撮像手段から画像信号が取り込まれ、記憶手段に記憶されるとともに、プレビュー画像としてモニタに表示される。このプレビュー画像の表示中に操作手段で第１の操作が行なわれると、記憶手段に記憶された画像信号が画像データとして記録メディアに記録され、モニタ上のプレビュー画像が消される。一方、プレビュー画像の表示中に操作手段で第２の操作が行なわれると、記録メディアへの記録はキャンセルされ、モニタ上のプレビュー画像が消される。このように、本発明によれば、１つの操作手段で撮影画像の記録又はキャンセルの指示を行うことができる。
【００１５】
また、請求項３に係る発明は、前記目的を達成するために、記録メディアに記録された画像データをモニタに再生表示可能な撮影装置において、互いに異なる第１の操作と第２の操作が可能な操作手段と、前記操作手段の第１の操作と第２の操作を検出する検出手段と、前記検出手段で前記操作手段の第１の操作が検出されるごとに、前記記録メディアから画像データを１コマずつ順に読み出し、所定の表示用処理を施して前記モニタに順次切り替えながら表示する記録画像表示手段と、前記検出手段で前記操作手段の第２の操作が検出されると、前記モニタに表示されている画像の画像データに対してプリント指示の情報を記録するプリント情報記録手段と、を備えたことを特徴とする撮影装置を特徴とする。
【００１６】
本発明によれば、操作手段で第１の操作が行なわれるたびに記録メディアに記録された画像データが１コマずつ順に読み出され、モニタ上に順に再生表示される。そして、この画像再生中に操作手段で第２の操作が行なわれると、モニタ上に表示されている画像の画像データに対してプリント指示の情報が記録される。これにより、１つの操作手段で再生画像のコマ送り及びプリント指示を行なうことができる。
【００１７】
また、請求項４に係る発明は、前記目的を達成するために、被写体像を撮像して画像信号を生成する撮像手段と、互いに異なる第１の操作と第２の操作が可能なレリーズ操作手段と、前記操作手段の第１の操作と第２の操作を検出するレリーズ検出手段と、前記レリーズ検出手段で前記レリーズ操作手段の第１の操作が検出されると、前記撮像手段から画像信号を取り込み、記憶する記憶手段と、前記記憶手段に記憶された画像信号に所定の表示用処理を施してモニタにプレビュー画像を表示するとともに、該プレビュー画像の表示中に前記レリーズ検出手段で前記レリーズ操作手段の第１の操作又は第２の操作が検出されると、前記プレビュー画像の表示を停止するプレビュー画像表示手段と、前記プレビュー画像の表示中に前記レリーズ検出手段で前記レリーズ操作手段の第２の操作が検出されると、前記記憶手段に記憶された画像信号に所定の記録用処理を施し、画像データとして前記記録メディアに記録する画像データ記録手段と、を備えたことを特徴とする請求項３に記載の撮影装置を提供する。
【００１８】
本発明によれば、レリーズ操作手段で第１の操作を行なうと、撮像手段から画像信号が取り込まれ、記憶手段に記憶されるとともに、プレビュー画像としてモニタに表示される。このプレビュー画像の表示中にレリーズ操作手段で第２の操作が行なわれると、記憶手段に記憶された画像データが記録手段によって記録メディアに記録され、モニタ上のプレビュー画像が消される。一方、プレビュー画像の表示中に操作手段で第１の操作が行なわれると、記録メディアへの記録は行なわれずに、モニタ上のプレビュー画像が消される。このようにして記録メディアに記録された画像データは、操作手段で第１の操作が行なわれるたびに記録メディアから１コマずつ順に読み出され、モニタ上に順に再生表示される。そして、この画像再生中に操作手段で第２の操作が行なわれると、モニタ上に表示されている画像の画像データに対してプリント指示の情報が記録される。
【００１９】
また、請求項５に係る発明は、前記目的を達成するために、被写体像を撮像して画像信号を生成する撮像手段と、互いに異なる第１の操作と第２の操作が可能なレリーズ操作手段と、前記操作手段の第１の操作と第２の操作を検出するレリーズ検出手段と、前記レリーズ検出手段で前記レリーズ操作手段の第１の操作が検出されると、前記撮像手段から画像信号を取り込み、記憶する記憶手段と、前記記憶手段に記憶された画像信号に所定の表示用処理を施してモニタにプレビュー画像を表示するとともに、該プレビュー画像の表示中に前記レリーズ検出手段で前記レリーズ操作手段の第１の操作又は第２の操作が検出されると、前記プレビュー画像の表示を停止するプレビュー画像表示手段と、前記プレビュー画像の表示中に前記レリーズ検出手段で前記レリーズ操作手段の第１の操作が検出されると、前記記憶手段に記憶された画像信号に所定の記録用処理を施し、画像データとして前記記録メディアに記録する画像データ記録手段と、を備えたことを特徴とする請求項３に記載の撮影装置を提供する。
【００２０】
本発明によれば、レリーズ操作手段で第１の操作を行なうと、撮像手段から画像信号が取り込まれ、記憶手段に記憶されるとともに、プレビュー画像としてモニタに表示される。このプレビュー画像の表示中にレリーズ操作手段で第１の操作が行なわれると、記憶手段に記憶された画像信号が画像データとして記録メディアに記録され、モニタ上のプレビュー画像が消される。一方、プレビュー画像の表示中に操作手段で第２の操作が行なわれると、記録メディアへの記録は行なわれずに、モニタ上のプレビュー画像が消される。このようにして記録メディアに記録された画像データは、操作手段で第１の操作が行なわれるたびに記録メディアから１コマずつ順に読み出され、モニタ上に順に再生表示される。そして、この画像再生中に操作手段で第２の操作が行なわれると、モニタ上に表示されている画像の画像データに対してプリント指示の情報が記録される。
【００２１】
また、請求項６に係る発明は、前記目的を達成するために、前記操作手段が、前記レリーズ操作手段を兼ねていることを特徴とする請求項４又は５に記載の撮影装置を提供する。
【００２２】
本発明によれば、操作手段がレリーズ操作手段を兼ねており、記録指示及びプリント指示を１つの操作手段で行なうことができる。
【００２３】
また、請求項７に係る発明は、前記目的を達成するために、前記プレビュー画像を表示するまでの間、前記撮像手段から画像信号を連続的に取り込み、所定の表示用処理を施して前記モニタにスルー画像を表示するとともに、前記プレビュー画像の表示停止後、前記撮像手段から画像信号を連続的に取り込み、所定の表示用処理を施して前記モニタにスルー画像を表示するスルー画像表示手段を備えたことを特徴とする請求項１、２、４、５又は６に記載の撮影装置を提供する。
【００２４】
本発明によれば、撮影前はモニタにスルー画像が表示され、撮影が行なわれると、モニタにプレビュー画像が表示される。そして、撮影画像の記録又はキャンセルが行なわれて、プレビュー画像が消されると、再びモニタにスルー画像が表示される。
【００２５】
また、請求項８に係る発明は、前記目的を達成するために、前記操作手段又は前記レリーズ操作手段は、押しボタンであって、前記第１の操作が、前記押しボタンの１度押しであるとともに、前記第２の操作が、前記押しボタンの２度押しであることを特徴とする請求項１、２、３、４、５、６又は７に記載の撮影装置を提供する。
【００２６】
本発明によれば、操作手段が、いわゆる押しボタンで構成される。そして、その押しボタンの１度押し（シングルクリック）が第１の操作に割り当てられ、２度押し（ダブルクリック）が第２の操作に割り当てられている。
【００２７】
【発明の実施の形態】
以下、添付図面に従って本発明に係る撮影装置の好ましい実施の形態について詳説する。
【００２８】
図１は本発明が適用されたデジタルカメラの構成を示すブロック図である。このデジタルカメラ１０は、静止画の撮影と再生が可能なカメラであって、図１に示すように、撮影レンズ１２、絞り１４、ＣＣＤイメージセンサ（ＣＣＤ）１６、アナログ処理回路１８、Ａ／Ｄ変換器２０、バッファメモリ２２、ＹＣ処理回路２４、圧縮伸張処理回路２６、カードインターフェース２８、メインＣＰＵ３０、ＥＥＰＲＯＭ３２、液晶モニタ３４、レリーズスイッチ３６、操作部３７、ＹＣ→ＲＧＢ変換回路５２、ＬＣＤドライバ５４、操作パネル５６等で構成されている。
【００２９】
メインＣＰＵ３０は、本カメラを統括制御する制御部であり、レリーズスイッチ３６、その他の操作部３７からの信号入力に基づいて各回路を制御する。ＥＥＰＲＯＭ３２には、このメインＣＰＵ３０が実行するカメラの制御プログラムや、制御に関する各種のパラメータ、データが格納されている。
【００３０】
操作部３７には、モードダイヤル、十字キー、電源スイッチなどが含まれ、モードダイヤルによってカメラのモードが「撮影モード」又は「再生モード」に設定される。なお、「撮影モード」は、静止画の撮影を行なうモードであり、「再生モード」は、撮影された静止画の再生を行なうモードである。
【００３１】
この操作部３７の電源スイッチがオンにされると、電源スイッチからメインＣＰＵ３０に電源ＯＮ信号が出力される。メインＣＰＵ３０は、この電源ＯＮ信号を受けると、電源制御回路３８にコマンドを送信し、電源制御回路３８は、このコマンドに従って電源（電池又は外部電源）３９からカメラの各部に電源を供給する。
【００３２】
レリーズスイッチ３６は、いわゆる押しボタンで構成されている。このレリーズスイッチ３６が押されると、メインＣＰＵ３０にＳ１ＯＮ信号が出力される。メインＣＰＵ３０は、このＳ１ＯＮ信号を入力することにより、レリーズスイッチ３６が押されたことを検出する。
【００３３】
なお、レリーズスイッチ３６は、その操作アクションとして、通常の「１度押し（シングルクリック）」の操作の他、短時間に２度押す「２度押し（ダブルクリック）」の操作ができるようにされており、後述するように、各アクションには、カメラの動作状態に応じた機能が割り当てられている。
【００３４】
また、メインＣＰＵ３０は、規定時間内に入力されるＳ１ＯＮ信号の数をカウントすることにより、レリーズスイッチ３６の「１度押し」と「２度押し」を判別する。すなわち、規定時間内にＳ１ＯＮ信号を１度入力すると、「１度押し」であることを検出し、規定時間内にＳ１ＯＮ信号を２度入力すると、「２度押し」であることを検出する。
【００３５】
さて、撮影モードの下、撮影レンズ１２を通過した光は、絞り１４により光量が調節された後、ＣＣＤ１６に入射する。ＣＣＤ１６の受光面には、フォトセンサが平面的に配列されており、受光面に結像された被写体像は、各フォトセンサによって入射光量に応じた量の信号電荷に変換される。こうして蓄積された信号電荷は、クロック発生回路４２から与えられるクロックパルスに基づいて信号電荷に応じた電圧信号（画像信号）として順次読み出される。
【００３６】
ＣＣＤ１６から出力された画像信号は、アナログ処理回路１８に加えられ、ここで白バランス調整やガンマ処理等が行われたのち、Ａ／Ｄ変換器２０でデジタル信号に変換され、一旦バッファメモリ２２に保存される。
【００３７】
なお、ＣＣＤ１６、アナログ処理回路１８及びＡ／Ｄ変換器２０は、クロック発生回路（ＣＧ）４２から出力されるクロックパルスによって各回路の同期がとられている。
【００３８】
ＹＣ処理回路２４は、メインＣＰＵ３０からのコマンドに従ってバッファメモリ２２上の画像信号をＹＣ信号（輝度信号Ｙとクロマ信号Ｃ）に変換する。このＹＣ信号は、再びバッファメモリ２２に保存される。
【００３９】
バッファメモリ２２に記憶されたＹＣ信号は、バス５０を介してＹＣ→ＲＧＢ変換回路５２に提供され、ここでＲＧＢの画像信号に変換されたのち、ＬＣＤドライバ５４を介して液晶モニタ３４に出力される。これにより、スルー画像、すなわち撮影モード時にＣＣＤ１６で撮像された画像が液晶モニタ３４にリアルタイムに表示される。
【００４０】
この状態でレリーズスイッチ３６が「１度押し」されると、メインＣＰＵ３０は、これを検知して、測光・測距ＣＰＵ４０にコマンドを送信する。測光・測距ＣＰＵ４０は、このコマンドに従って自動露光（ＡＥ）制御及び自動焦点調節（ＡＦ）制御を行い、撮影を実行する。すなわち、主要被写体にピントが合うように撮影レンズ１２の移動を制御するとともに、測光結果に基づいて適正露出が得られるように絞り１４の開口量及びＣＣＤ１６の電荷蓄積時間を制御する。この際、被写体が暗い場合には、測光・測距ＣＰＵ４０からのコマンドに基づきストロボ制御回路４３が動作され、ストロボ光が発光される。ストロボ制御回路４３は、図示しないメインコンデンサの充電やキセノン管４４への放電タイミング等を制御する。
【００４１】
このようにしてＣＣＤ１６で撮像された被写体像を示す画像信号は、アナログ処理回路１８、Ａ／Ｄ変換器２０を介してバッファメモリ２２に取り込まれる。そして、ＹＣ処理回路２４で所定の信号処理が施されたのち、ＹＣ信号としてバッファメモリ２２に記憶される。
【００４２】
バッファメモリ２２に記憶されたＹＣ信号は、ＹＣ→ＲＧＢ変換回路５２に提供されてＲＧＢの画像信号に変換され、ＬＣＤドライバ５４を介して液晶モニタ３４に出力される。これにより、ＣＣＤ１６で撮像された画像が、プレビュー画像として液晶モニタ３４に表示される。
【００４３】
このプレビュー画像が液晶モニタ３４に表示された状態でレリーズスイッチ３６が「２度押し」されると、メインＣＰＵ３０は、これを検知して、撮像された画像の記録処理を実行する。すなわち、メインＣＰＵ３０は、圧縮伸張処理回路２６にコマンドを送り、圧縮伸張処理回路２６は、このコマンドに従ってバッファメモリ２２上のＹＣ信号をＪＰＥＧ等の所定の形式で圧縮する。圧縮された画像データは、カードインターフェース２８を介してメモリカード４６に記録される。
【００４４】
記録メディアとしてのメモリカード４６の形態は、スマートメディア、ｘＤピクチャーカード、コンパクトフラッシュ、ＰＣカード、マイクロドライブ、ＳＤメモリーカード、マルチメディアカード（ＭＭＣ）、磁気ディスク、光ディスク、光磁気ディスク、メモリスティックなど種々の形態が可能であり、使用される媒体に応じた信号処理手段とインターフェースが適用される。
【００４５】
一方、プレビュー画像が液晶モニタ３４に表示された状態でレリーズスイッチ３６が「１度押し」されると、メインＣＰＵ３０は、これを検知して、記録のキャンセル処理を実行する。すなわち、液晶モニタ３４に表示されたプレビュー画像を消去し、再びスルー画像を表示させる。
【００４６】
このように撮影モードの下では、撮影が行なわれると、液晶モニタ３４に撮影された画像のプレビュー画像が表示される。そして、このプレビュー画像が液晶モニタ３４に表示された状態でレリーズスイッチ３６が「２度押し」されると、撮影された画像がメモリカード４６に記録される。また、このプレビュー画像が液晶モニタ３４に表示された状態でレリーズスイッチ３６が「１度押し」されると、撮影スタンバイ状態に復帰する。すなわち、プレビュー画像が消去され、再び液晶モニタ３４にスルー画像が表示される。
【００４７】
一方、再生モードの下では、次のようにしてメモリカード４６に記録された画像の再生処理が行なわれる。
【００４８】
操作部３７のモードダイヤルが再生モードに設定されると、メインＣＰＵ３０は、これを検知し、メモリカード４６に最後に記録された画像データを１コマ読み出す。読み出された画像データは、圧縮伸張処理回路２６によって伸張処理され、ＹＣ→ＲＧＢ変換回路５２、ＬＣＤドライバ５４を介して液晶モニタ３４に出力される。こうして、最後に撮影した画像が液晶モニタ３４に表示される。
【００４９】
この後、レリーズスイッチ３６が「１度押し」押されると、メインＣＰＵ３０は、これを検知し、１番最初に撮影した画像の画像データをメモリカード４６から読み出す。読み出された画像データは、圧縮伸張処理回路２６によって伸張処理され、ＹＣ→ＲＧＢ変換回路５２、ＬＣＤドライバ５４を介して液晶モニタ３４に出力される。こうして、１番最初に撮影した画像が液晶モニタ３４に表示される。
【００５０】
この後、レリーズスイッチ３６が「１度押し」されるたびに、メインＣＰＵ３０は、メモリカード４６から画像データを１コマずつ順に読み出し、所定の表示用の処理を施して液晶モニタ３４に表示する。
【００５１】
すなわち、再生モードの下では、レリーズスイッチ３６が「１度押し」されるたびにメモリカード４６に記録された画像が順コマ送りされる。
【００５２】
また、この再生モードの下でレリーズスイッチ３６が「２度押し」されると、メインＣＰＵ３０は、これを検知し、そのとき液晶モニタ３４に表示されている画像に対してプリント注文の処理を実行する。
【００５３】
すなわち、図２（ａ）に示すように、プリント注文を希望する画像が液晶モニタ３４に表示されたところでレリーズスイッチ３６が「２度押し」されると、メインＣＰＵ３０は、カメラのモードを「プリント注文モード」に移行する。
【００５４】
この「プリント注文モード」の下では、図２（ｂ）に示すように、液晶モニタ３４には、プリント注文を行なう画像と共にプリント注文枚数が表示される。プリント注文枚数は、初期値として１枚が設定されており、この状態でレリーズスイッチ３６が「１度押し」されるたびにプリント注文枚数が１枚ずつ増加していく。図２（ｃ）は、「プリント注文モード」に移行後、レリーズスイッチ３６を２回押して、３枚注文した時の液晶モニタ３４の状態が示されている。
【００５５】
注文指示の完了は、レリーズスイッチ３６の「２度押し」により行なわれ、メインＣＰＵ３０は、レリーズスイッチ３６の「２度押し」を検知すると、プリント注文のデータを画像データに書き込む。そして、カメラのモードを「再生モード」に復帰させる。
【００５６】
なお、プリント情報に関しては、たとえばＤＰＯＦ（Ｄｉｇｉｔａｌ  Ｐｒｉｎｔ  Ｏｒｄｅｒ  Ｆｏｒｍａｔ）規格の記録形式に従って記録される。このＤＰＯＦ規格では、プリント枚数やトリミング等に関する情報、及びプリント済みの有無の情報等を記録することができ、各コマのプリント情報は１つのプリント情報ファイルにテキストファイル形式で記載されるようになっている。
【００５７】
このように「再生モード」の下では、レリーズスイッチ３６の「１度押し」で再生画像の順コマ送りを行なうことができ、「２度押し」でプリント注文の処理を行なうことができる。
【００５８】
なお、本実施の形態のデジタルカメラ１０には、外部接続端子（たとえばＵＳＢ端子）５８が備えられており、この外部接続端子５８にケーブルを接続することにより、パソコン等の外部機器との間でデータの送受信を行なうことができる。通信制御部６０は、メインＣＰＵ３０からのコマンドに従って、この外部接続端子５８に接続された外部機器との間の通信を制御する。
【００５９】
また、本実施の形態のデジタルカメラ１０には、カメラの状態や撮影モード等に関する情報を文字やアイコン等で簡易表示する表示パネル５６が備えられており、表示パネル５６は、メインＣＰＵ３０からのコマンドに基づいて、たとえば、電池残量の表示や撮影可能コマ数の表示、再生コマ番号（ファイル名）の表示、ストロボモードの表示、マクロモードの表示、記録画質の表示、画素数表示等の情報を表示する。
【００６０】
次に、以上のように構成された本実施の形態のデジタルカメラ１０の動作を図３に示すフローチャートに従って説明する。
【００６１】
カメラの電源が投入されると、まず、カメラの設定モードが判断され、カメラの設定モードが「撮影モード」に設定されているか否かが判定される  （ステップＳ１）。この結果、カメラのモードが「撮影モード」に設定されていると判定されるとステップ１０に進み、「撮影モード」に設定されていないと判定されるとステップ２０に進む。
【００６２】
まず、ステップ１において、カメラのモードが「撮影モード」に設定されていると判定された場合のフローについて説明する。
【００６３】
カメラのモードが「撮影モード」に設定されていると判定されると、メインＣＰＵ３０はカメラの状態を撮影スタンバイ状態にし、液晶モニタ３４にスルー画像を表示させる（  ステップＳ１０）。撮影者は、このスルー画像を見て、撮影画角、ピント状態等を確認する。
【００６４】
メインＣＰＵ３０は、この状態の下、レリーズスイッチ３６の「１度押し」の有無を判定して  （ステップＳ１１）、撮影実行の指示の有無を判断する。そして、レリーズスイッチ３６の「１度押し」を検出すると、プレビュー画像の表示の有無を判定し  （ステップＳ１２）、プレビュー画像が表示されていないことを確認すると、画像データを取り込んで液晶モニタ３４にプレビュー画像を表示させる  （ステップＳ１３）。
【００６５】
撮影者は、この液晶モニタ３４に表示されたプレビュー画像を確認し、メモリカード４６への記録を希望する場合は、レリーズスイッチ３６を「２度押し」、キャンセルする場合は、レリーズスイッチ３６を「１度押し」する。
【００６６】
すなわち、プレビュー画像を表示すると、メインＣＰＵ３０は、撮影画像の記録実行又は記録キャンセルを確認するため、まず、レリーズスイッチ３６の「１度押し」の有無を判定する  （ステップＳ１１）。
【００６７】
ここで、レリーズスイッチ３６が「１度押し」されたと判定すると、撮影画像の記録実行がキャンセルされたものとして、プレビュー画像の有無を判定し  （ステップＳ１２）、プレビュー画像の表示を確認する。そして、プレビュー画像の表示が確認されると、そのプレビュー画像を消去し、次の撮影に備えるために液晶モニタ３４の表示をスルー画像に切り替える  （ステップＳ１０）。
【００６８】
一方、プレビュー画像の表示後、ステップ１１でレリーズスイッチ３６が「１度押し」されていないと判定された場合には、次に「２度押し」の有無が判定される  （ステップＳ１４）。
【００６９】
ここで、レリーズスイッチ３６が「２度押し」されたと判定すると、記録実行が指示されたものとして、プレビュー画像の有無を判定し  （ステップＳ１５）、プレビュー画像の表示を確認する。そして、プレビュー画像の表示が確認されると、撮像した画像をメモリカード４６に記録する  （ステップＳ１６）。この後、メインＣＰＵ３０は、液晶モニタ３４に表示されているプレビュー画像を消去し、次の撮影に備えるために液晶モニタ３４の表示をスルー画像に表示を切り替える  （ステップＳ１０）。
【００７０】
なお、ステップ１４において、レリーズスイッチ３６が「２度押し」されていないと判定された場合にはステップ１７へ進み、プレビュー画像の有無が判定される。ここで、液晶モニタ３４にプレビュー画像が表示されている場合には、入力待ちの状態にあるものとして、ステップ１１に進み、再びレリーズスイッチ３６の「１度押し」の有無を判定する。
【００７１】
一方、ステップ１７でプレビュー画像が表示されていないと判定された場合には、撮影実行の指示が、まだ入力されていないものとして、ステップ１０に進み、引き続き液晶モニタ３４にスルー画像を表示して、撮影実行の指示が入力されるのを待機する。
【００７２】
また、ステップ１４において、レリーズスイッチ３６が「２度押し」されたと判定された後、ステップ１５で液晶モニタ３４にプレビュー画像が表示されていないと判定された場合にはステップ１１に進み、再びレリーズスイッチ３６の「１度押し」の有無を判定する。これはスルー画像表示中にレリーズスイッチ３６が「２度押し」された場合のフローであり、スルー画像表示中にレリーズスイッチ３６が「２度押し」された場合は、その操作を無視して、正しく撮影実行の指示が入力されるのを待機する。
【００７３】
次に、ステップ１において「撮影モード」に設定されていないと判定された場合のフローについて説明する。
【００７４】
ステップ１でカメラのモードが「撮影モード」に設定されていないと判定されると、ステップ２０に進み、「再生モード」に設定されているか否かが判定される。
【００７５】
ここで、カメラのモードが「再生モード」に設定されていると判定されると、次に、液晶モニタ３４に撮影画像が再生されているか否か判定され  （ステップＳ２１）、再生中でない場合は、最初のコマの設定が行なわれる  （ステップＳ２２）。すなわち、メモリカード４６に最後に記録されたコマの画像が設定され、当該画像が液晶モニタ３４に再生表示される  （ステップＳ２３）。
【００７６】
画像再生後、レリーズスイッチ３６の「１度押し」の有無が判定され  （ステップＳ２４）、レリーズスイッチ３６が「１度押し」されたと判定されると、順コマ送りが行なわれる  （ステップＳ２５）。すなわち、液晶モニタ３４の表示が切り替えられ、液晶モニタ３４に次の画像が表示される。
【００７７】
再生画像が順コマ送りされると、ステップ１へ進み、カメラの設定モードの確認が行なわれる。そして、「撮影モード」に設定されていないことが確認されると、「再生モード」に設定されているか否か判定され  （ステップＳ２０）、「再生モード」に設定されていると判定されると、液晶モニタ３４に撮影画像が再生されているか否か判定される  （ステップＳ２１）。画像再生中の場合は、引き続き画像再生を行い  （ステップＳ２３）、レリーズスイッチ３６からの入力を待機する。
【００７８】
ステップ２４において、レリーズスイッチ３６が「１度押し」されていないと判定されると、次に、レリーズスイッチ３６の「２度押し」の有無が判定され  （ステップＳ２６）、ここで、レリーズスイッチ３６が「２度押し」されたと判定されると、プリント注文の処理が実行される  （ステップＳ２７）。
【００７９】
プリント注文の処理が実行されると、再びステップ１へ進み、カメラの設定モードの確認が行なわれる。そして、「撮影モード」に設定されていないことが確認されると、「再生モード」に設定されているか否か判定され  （ステップＳ２０）、「再生モード」に設定されていると判定されると、液晶モニタ３４に撮影画像が再生されているか否か判定される  （ステップＳ２１）。画像再生中の場合は、引き続き画像再生を行い  （ステップＳ２３）、レリーズスイッチ３６からの入力を待機する。
【００８０】
ステップ２４において、レリーズスイッチ３６が「１度押し」されていないと判定されると、次に、レリーズスイッチ３６の「２度押し」の有無が判定され  （ステップＳ２６）、ここで、レリーズスイッチ３６が「２度押し」されたと判定されると、プリント注文の処理が実行される  （ステップＳ２７）。
【００８１】
なお、ステップ２６でレリーズスイッチ３６が「２度押し」されていないと判定された場合は、順コマ送りの指示又はプリント注文の指示が、まだ出されていないものとして、ステップ１に進み、レリーズスイッチ３６から指示が入力されるのを待機する。
【００８２】
また、ステップ２０において、カメラのモードが「再生モード」に設定されていないと判定された場合には、画像再生の有無を判定し  （ステップＳ３０）、再生していると判定した場合には、画像再生を停止したのち  （ステップＳ３１）、ステップ１に進み、カメラの設定モードの判定が行なわれる。
【００８３】
以上説明したように、撮影モードの下では、レリーズスイッチ３６の「１度押し」にて撮影が行なわれ、撮影が行なわれると、撮影した画像のプレビュー画像が液晶モニタ３４に表示される。撮影者は、この液晶モニタ３４に表示されたプレビュー画像を確認し、メモリカード４６への記録を希望する場合には、レリーズスイッチ３６を「２度押し」する。これにより、撮影された画像がメモリカード４６に記録される。一方、プレビュー画像を見て記録不要と判断した場合には、レリーズスイッチ３６を「１度押し」する。これにより、撮影された画像のメモリカード４６への記録はキャンセルされる。撮影画像の記録後又は記録キャンセル後、液晶モニタ３４には、再びスルー画像が表示され、次の撮影のために待機される。
【００８４】
一方、再生モードの下では、レリーズスイッチ３６の「１度押し」にて再生画像の順コマ送りが行なわれ、「２度押し」するとプリント注文の処理を行なうことができる。
【００８５】
このように、本実施の形態のデジタルカメラ１０によれば、レリーズスイッチ３６の押圧操作によって、撮影の画像の記録実行の指示や記録キャンセルの指示、再生画像のコマ送りやプリント注文の指示を行うことができる。これにより、撮影の画像の記録実行の指示や記録キャンセルの指示、再生画像のコマ送りやプリント注文の指示を行うための操作部材を別途カメラボディに設ける必要がなくなり、カメラボディに設ける操作部材の数を少なくできる。
【００８６】
また、押しボタン式のレリーズスイッチ３６の「１度押し」と「２度押し」によって、これらの操作の指示を与えるようにしているため、操作が簡単になり、操作性も向上する。
【００８７】
なお、本実施の形態のデジタルカメラ１０では、「再生モード」において、レリーズスイッチ３６を「１度押し」すると、順コマ送りが実行され、「２度押し」すると、プリント注文の処理が実行されるように構成しているが、他のボタンで当該機能を実行するようにしてもよい。たとえば、十字キーの右ボタンに当該機能を割り当て、十字キーの右ボタンを「１度押し」すると、順コマ送りが実行され、「２度押し」すると、プリント注文の処理が実行されるように構成してもよい。この場合、十字キーの左ボタンを「１度押し」すると、逆コマ送りが実行され、「２度押し」すると、プリント注文の処理が実行されるように構成してもよい。また、たとえば撮影実行後、プレビュー画像が表示された状態で十字キーの右ボタンを「１度押し」すると、撮影画像の記録が実行され、右ボタンを「２度押し」すると、撮影画像の記録がキャンセルされるように構成してもよい。
【００８８】
なお、通常、レリーズスイッチ３６は、カメラボディをグリップした際、人差指が自然にかかる位置に配置されるため、このレリーズスイッチ３６の「１度押し」と「２度押し」によって、各種操作指示を与えるように構成することにより、操作性が向上する。
【００８９】
また、本実施の形態のデジタルカメラ１０では、レリーズスイッチ３６の「１度押し（シングルクリック）」と「２度押し（ダブルクリック）」によって、１つのレリーズボタン３６に２通りの操作アクションを持たせているが、操作アクションは、これに限定されるものではない。たとえば、押しボタンの押圧時間によって判断し、押圧時間が、たとえば２秒未満を「第１の操作」、２秒以上を「第２の操作」としてもよい。また、たとえば、「半押し」と「全押し」の２段式の押しボタンを用いて「半押し」を「第１の操作」、「全押し」を「第２の操作」としてもよい。さらに、たとえば上下又は左右方向に揺動するシーソーボタンを用いて「上押し（又は左押し）」を「第１の操作」、「下押し（右押し）」を「第２の操作」としてもよい。
【００９０】
また、本実施の形態のデジタルカメラ１０では、撮影モードの下、プレビュー画像が表示された状態でレリーズスイッチ３６を「２度押し」すると、撮影画像の記録が実行され、「１度押し」すると、撮影画像の記録がキャンセルされるように構成されているが逆であってもよい。すなわち、レリーズスイッチ３６を「１度押し」すると、撮影画像の記録が実行され、「２度押し」すると、撮影画像の記録がキャンセルされるようにしてもよい。
【００９１】
また、「再生モード」の下、レリーズスイッチ３６を「１度押し」すると、順コマ送りされ、「２度押し」すると、プリント注文の処理が実行されるように構成されているが、レリーズスイッチ３６を「２度押し」すると、順コマ送りされ、「１度押し」すると、プリント注文の処理が実行されるようにしてもよい。
【００９２】
さらに、「２度押し」された場合の機能として、プリント注文の処理を実行するのではなく、他の機能を割り当ててもよい。たとえば、「２度押し」すると、逆コマ送りされるようにしてもよいし、また、メニュー画面が表示されるようにしてもよい。
【００９３】
また、本実施の形態のデジタルカメラ１０では、「撮影モード」と「再生モード」の両方のモードにおいて、レリーズボタン３６の「１度押し」と「２度押し」の機能を利用しているが、「撮影モード」のみ又は「再生モード」のみ当該機能を利用するようにしてもよい。すなわち、「撮影モード」時のみレリーズボタン３６の「１度押し」と「２度押し」の機能が有効になるように構成してもよく、また、「再生モード」時のみレリーズボタン３６の「１度押し」と「２度押し」の機能が有効になるように構成してもよい。
【００９４】
また、本実施の形態のデジタルカメラ１０では、「撮影モード」の下、撮影実行前に液晶モニタ３４にスルー画像を表示させているが、光学ファインダを備えたデジタルカメラにおいては、スルー画像の表示は、撮影者が任意に設定できるようにすることが好ましい。なお、スルー画像を表示しないで撮影する場合は、撮影実行後に液晶モニタ３４にプレビュー画像を表示させ、記録実行又はキャンセルの処理後、プレビュー画像を液晶モニタ３４から消去する。これにより、省電化を図ることができる。
【００９５】
また、本実施の形態では、本発明をデジタルカメラに適用した場合を例に説明したが、本発明の適用は、これに限定されるものではなく、カメラ付き携帯電話やカメラ付きＰＤＡのように撮影機能を備えた電子機器にも同様に適用することができる。
【００９６】
【発明の効果】
以上説明したように、本発明によれば、１つの操作手段で撮影画像の記録指示やキャンセル、コマ送りやプリント注文等を行なうことができるため、装置本体に設ける操作部材の数を少なくすることができる。また、簡単な操作で撮影画像の記録指示やキャンセル、コマ送りやプリント注文等を行なうことができる。
【図面の簡単な説明】
【図１】本発明が適用されたデジタルカメラの構成を示すブロック図
【図２】プリント注文時の液晶モニタの表示例を示す図
【図３】本実施の形態のデジタルカメラの動作手順を示すフローチャート
【符号の説明】
１０…デジタルカメラ、１２…撮影レンズ、１６…ＣＣＤイメージセンサ（ＣＣＤ）、１８…アナログ処理回路、２２…バッファメモリ、２４…ＹＣ処理回路、２６…圧縮伸張処理回路、２８…カードインターフェース、３０…メインＣＰＵ、３２…ＥＥＰＲＯＭ、３４…液晶モニタ、３６…レリーズスイッチ、３７…操作部、５２…ＹＣ→ＲＧＢ変換回路、５４…ＬＣＤドライバ
【図１】
2005033454.tif 000003
【図２】
2005033454.tif 000004
【図３】
2005033454.tif 000005